(57)【要約】早く、軽く削ることができ、携帯に便利な鉛筆削器を提供する。鉛筆の差込方向とは逆の方向からケースの他側面部に挿入されたハンドル３を回転可能に取り付けるためのハンドル取付穴２３を、前記鉛筆挿入穴２に差し込まれる鉛筆と平行に設けた。一方の手で鉛筆を握り、他方の手でハンドルを握って糸巻きの要領でケースを回転させることで鉛筆を削ることができるので、疲れを感じることなく、早く、軽く鉛筆を削ることができる。また、鉛筆を固定させた状態で削ることができるので、短い鉛筆であっても楽に削ることができる。
2016143649.tif 000002
【特許請求の範囲】
【請求項１】
ケースの一側面（１２）に設けられた鉛筆挿入穴（２）からケース内部に向けて鉛筆を差し込んで、該ケースを回転させて削る鉛筆削器であって、
鉛筆の差込方向とは逆の方向からケースの他側面部に挿入されたハンドル（３）を回転可能に取り付けるためのハンドル取付穴を、前記鉛筆挿入穴（２）に差し込まれる鉛筆と平行に設けたことを特徴とする鉛筆削器。
【請求項２】
前記ハンドル取付穴は、前記ケースの他側面の延長部に設けられた筒部（２３）であることを特徴とする請求項１に記載の鉛筆削器。
【請求項３】
前記ハンドル取付穴は、前記ケースの他側面からケース内部に向けて設けられた所定深さの差込穴（３８）であることを特徴とする請求項１又は請求項２に記載の鉛筆削器。
【請求項４】
前記ハンドル取付穴に、ハンドル部材（３０）を着脱可能に取り付けたことを特徴とする請求項１〜請求項３の何れか１つの請求項に記載の鉛筆削器。
【請求項５】
前記ハンドル部材（３０）は、筆記具であることを特徴とする請求項４に記載の鉛筆削器。
【請求項６】
前記ハンドル部材（３０）は、短い鉛筆の後端部に装着される延長ホルダ部材であることを特徴とする請求項４に記載の鉛筆削器。
【請求項７】
前記鉛筆挿入穴（２）からケース内部に向けて縮径する芯先保持部（１１”）に沿って設けられたスリットに切削刃（１３”）を取り付けてなる蓋部材をもって、前記一側面を構成したことを特徴とする請求項１〜請求項６の何れか１つの請求項に記載の鉛筆削器。
【請求項８】
前記芯先保持部（１１”）に保持される鉛筆の芯先を当接させることができる芯先当接部（２５）を、前記他側面側のケース内に設けたことを特徴とする請求項７に記載の鉛筆削器。
【請求項９】
前記鉛筆挿入穴（２）からケース内部に向けて縮径する芯先保持部（１１）に沿って設けられたスリットに切削刃（１３）を取り付けてなる鉛筆削器であって、取り外し可能な蓋部（２０）をもって前記ケースの他側面を構成すると共に、前記芯先保持部（１１）に保持される鉛筆の芯先を当接させることができる芯先当接部（２５）を、前記蓋部（２０）の内壁面の一部に設けたことを特徴とする請求項１〜請求項６の何れか１つの請求項に記載の鉛筆削器。
【請求項１０】
本体部（５）の中央に芯材（６）を配してなる鉛筆を切削することで、該本体部（５）の先端に、鉛筆径よりも外径が小さい平坦面からなるリング部（７）と、該リング部（７）から周側面に連続するテ―パ部（８）と、を有する形状に切削するための鉛筆削器であって、
前記鉛筆挿入穴（２）からケース内部に向けて縮径する芯先保持部（１１）の傾斜面に沿ってスリットを設けると共に該スリットに沿った刃先を有する第１の切削刃（１７ａ）を設け、
該第１の切削刃（１７ａ）の前記他側面の側の端部よりも前記一側面寄りの位置に、前記鉛筆に略直交する方向に延びる第２の切削刃（１７ｂ）を設け、
前記鉛筆挿入穴（２）に鉛筆を差し込んで回転させることで、前記第１の切断刃（１７ａ）によって前記テーパ部（８）が形成され、前記第２の切削刃（１７ｂ）によってリング部（７）が形成されるように構成したことを特徴とする請求項１〜請求項９の何れか１つの請求項に記載の鉛筆削器。
【請求項１１】
前記第２の切削刃（１７ｂ）は、前記第１の切削刃（１７ａ）による切削方向に向けて連続して設けられたことを特徴とする請求項１０に記載の鉛筆削器。
【請求項１２】
前記一側面及び他側面以外の各側面部は、前記鉛筆挿入穴（２）と前記ハンドル取付穴の中間に位置する軸線（Ｌ）を中心として該ケースを回転させた際に、所定色彩があらわれるように、隣接側面部とは異なる色で彩色されたことを特徴とする請求項１〜請求項１１の何れか１つの請求項に記載の鉛筆削器。
【請求項１３】
前記一側面及び他側面以外のケース外壁面には、前記鉛筆挿入穴（２）と前記ハンドル取付穴の中間に位置する軸線（Ｌ）を中心として該ケースを回転させた際に、連続的な動きがあらわれるような図柄が表示されていることを特徴とする請求項１〜請求項１２の何れか１つの請求項に記載の鉛筆削器。
【請求項１４】
ケースの一側面に設けられた鉛筆挿入穴（２）からケース内部に向けて鉛筆を差し込んで削る鉛筆削器（３００）であって、前記鉛筆の差込方向とは逆の方向からケースの他側面部に向けて押圧支持するハンドル（３３０）を、差し込まれる前記鉛筆に対して鈍角（θ）を成すように設けたことを特徴とする鉛筆削器。
【発明の詳細な説明】
【技術分野】
【０００１】
本発明は、鉛筆を削る小型の鉛筆削器に関し、早く、軽く鉛筆を削ることができる鉛筆削器に関する。
【背景技術】
【０００２】
小型の鉛筆削器として、鉛筆を挿入孔に差し込み、手で回して削る構造のものが各種提案されている（特許文献１）。
このような鉛筆削器は、内部に向けて縮径する円錐状の芯先保持部をケース内部に備え、芯先保持部の傾斜面に沿って設けられたスリットに切削刃を取り付けた構成となっており、芯先保持部に鉛筆を差し込んで回転させることで、鉛筆の周側面が切削刃に対して斜めに押し付けられて削られ、中心部の芯先があらわれる。  
【特許文献１】特公平１−３５７６０号公報
【発明の開示】
【発明が解決しようとする課題】
【０００３】
しかしながら、一方の手でケースを持ち、他方の手で鉛筆を押し付けながら回すので、力を入れながら鉛筆を回転させる必要があり、疲れを感ずることがあった。
そこで、本発明は、疲れを感じることなく、早く、軽く鉛筆を削ることができ、携帯に便利な鉛筆削器の提供を目的とする。
【課題を解決するための手段】
【０００４】
上記課題を解決するために、本発明に係る鉛筆削器は、ケースの一側面に設けられた鉛筆挿入穴からケース内部に向けて鉛筆を差し込んで、該ケースを回転させて削る鉛筆削器であって、鉛筆の差込方向とは逆の方向からケースの他側面部に挿入されたハンドルを回転可能に取り付けるためのハンドル取付穴を、前記鉛筆挿入穴に差し込まれる鉛筆と平行に設けたことを特徴とするものである。
【発明の効果】
【０００５】
本発明に係る鉛筆削器によれば、ケースの一側面に設けられた鉛筆挿入穴からケース内部に向けて鉛筆を差し込んで削る鉛筆削器において、鉛筆挿入穴とは逆方向から挿入されるハンドルを回転可能に取り付けるためのハンドル取付穴を、鉛筆と平行になるように設けたので、一方の手で鉛筆を握り、他方の手でハンドルを握って糸巻きの要領でケースを回転させることで、鉛筆を削ることができる。
このため、鉛筆を切削刃に押し付けながら、鉛筆自体を回転させる必要があった従来の鉛筆削器に比べ、疲れを感じることなく、楽しく鉛筆を削ることができる。また、鉛筆を固定させた状態で削ることができるので、短い鉛筆であっても楽に削ることができる。
【図面の簡単な説明】
【０００６】
【図１】本発明の第１実施形態に鉛筆削器を示す斜視図である。
【図２】上記鉛筆削器の使用状態を示す断面図である。
【図３】上記鉛筆削器の分解図であり、（ａ）は本体部材、（ｂ）は蓋部材、（ｃ）はハンドル部材を示す。
【図４】上記鉛筆削器の第１変形例を示す断面図であり、（ａ）は芯を尖らせない場合の使用状態を示し、（ｂ）は芯を尖らせる場合の使用状態を示す。
【図５】上記第１変形例におけるＡ−Ａ線矢視断面図であり、（ａ）は芯先当接部を着脱可能にした例を示し、（ｂ）は芯先当接部を位置調節可能とした例を示す。
【図６】上記鉛筆削器の第２変形例を示す斜視図である。
【図７】上記鉛筆削器の第３変形例を示す断面図である。
【図８】上記鉛筆削器の第４変形例を示す断面図である。
【図９】上記鉛筆削器の第５変形例を示す断面図である。
【図１０】上記鉛筆削器の第６変形例を示し、（ａ）は断面図であり、（ｂ）は本体部材と蓋部材を分解した状態を示す。
【図１１】上記第６変形例において芯先調節機能を設けた実施例の使用状態を示す断面図である。
【図１２】上記鉛筆削器の第７変形例を示す斜視図である。
【図１３】上記鉛筆削器の第８変形例を示す断面図である。
【図１４】上記第８変形例によって削られる鉛筆を示す斜視図である。
【図１５】上記変形例の第１の切削刃と第２の切削刃の構成を示し、（ａ）は斜視図であり、（ｂ）は平面図である。
【図１６】上記第２の切削刃の変形例を示し、（ａ）は平面図であり、（ｂ）はＡ−Ａ線矢視断面図である。
【図１７】上記鉛筆削器の第９変形例を示す斜視図であり、（ａ）は第１の切削刃に連続して第２の切削刃を設けた態様、（ｂ）は非連続に設けた態様を示す。
【図１８】本発明の第２実施形態に係る鉛筆削器を示す斜視図である。
【図１９】上記鉛筆削器の断面図である。
【図２０】上記鉛筆削器の変形例を示す断面図である。
【図２１】本発明の第３実施形態に係る鉛筆削器を示す斜視図である。
【図２２】上記鉛筆削器の断面図である。
【図２３】上記鉛筆削器で鉛筆を削る状態を示す説明図である。
【図２４】本発明の第４実施形態に係る鉛筆削器を示す説明図である。
【図２５】上記鉛筆削器の実施例を示す正面図である。
【発明を実施するための形態】
【０００７】
本発明の好適な実施形態について、添付図面に基づいて説明する。なお、本発明の実施形態は以下の形態に限定されるものではなく、本発明の課題を解決しうるものであれば他の態様も実施可能である。  
【実施例１】
【０００８】
図１は、本発明の第１実施形態に係る鉛筆削器１の斜視図である。
この鉛筆削器１は、図２に示すように、ケースの一側面に設けられた鉛筆挿入穴２からケース内部に向けて鉛筆を差し込み、当該ケースの他側面部に取り付けられたハンドル３を持ち、糸巻きの要領でケースを回転させて鉛筆を削ることを特徴とするものであり、図３に示すように、ケースの本体部材１０と、蓋部材２０と、ハンドル部材３０と、によって構成される。【０００９】
ケースの本体部材１０は、有底無蓋の筐体内に、芯先保持部１１を設けて構成される。
この芯先保持部１１は、ケースの一側面１２に設けられた鉛筆挿入穴２からケース内部に向けて縮径する円錐状の区域であり、傾斜面に沿って設けられたスリットに、切削刃１３を設けた構成となっている。
この芯先保持部１１に差し込まれた鉛筆の周側面が、切削刃１３に対して斜めに押し付けられながら回転することで、中央の芯部に向けてテーパ状に鉛筆が削られるようになっている。【００１０】
本体部材１０の開口部に、別部材からなる蓋部材２０を取り付けることによって、ケースの他側面部が構成されている。
蓋部材２０は、本体部２１（即ち、ケース他側面）と、本体部２１から延長される延長部２２と、延長部２２から直角方向に延びる筒部２３と、によって構成される。
筒部２３は、鉛筆の差込方向とは逆の方向からケースの他側面部に挿入されたハンドル３を回転可能に取り付けるための部位であり、内部はハンドル取付穴として機能している。【００１１】
この筒部２３は、ケースとは反対側（外側）に向かって延びており、鉛筆挿入穴２に差し込まれる鉛筆の軸線Ｌ（すなわち、芯先保持部１１の軸線）から所定距離（Ｍ）離れた位置において、該軸線Ｌと平行に配設されている。
鉛筆挿入穴の中心を通る軸線Ｌからハンドル取付穴までの距離（Ｍ）は、大きければ大きいほど弱い力でハンドルを回すことができるが、糸巻きの要領でケースを回転させる際の操作性、及び形態性を考慮に入れると、１ｃｍ〜１０ｃｍ（好ましくは、１．５ｃｍ〜５ｃｍ）が適当である。なお、本実施例では２ｃｍに設計した。
蓋部材２０の筒部２３の内部（すなわち、ハンドル取付穴）には、ハンドル部材３０のハンドル取付部３１が遊びを持たせた状態で挿入されている。【００１２】
ハンドル部材３０は、このハンドル取付部３１を内部に備えたキャップ状の把手３であり、ハンドル取付部３１の先端には抜け止め部３２が設けられている。
把手３の長さ（Ｈ）は、手で握れる程度の長さが好ましく、２ｃｍ〜１０ｃｍ（本実施例では２．２ｃｍ）が適当である。ハンドル取付部３１の長さ（Ｔ）は、５ｍｍ〜５ｃｍ（本実施例では１．４ｃｍ）としている。【００１３】
上記構成の鉛筆削器１の使用状態を説明する。
鉛筆を削る際には、ケースの一側面１２に設けられた鉛筆挿入穴２からケース内部に向けて鉛筆を差し込み、他方の手で把手３を握り、糸巻きの要領でケースを回転させる。
鉛筆の挿入方向とは逆方向からハンドル部材３０が挿入され、しかもハンドル部材３０が、鉛筆に対して平行に位置しているので、自転車のペダルを漕いでいるかのように、軽い力でケースを回転させることができる。このケースの回転に伴って、鉛筆保持部１１内で鉛筆が相対的に回転することで、周側面がテーパ状に削り取られていく。【００１４】
このため、鉛筆を切削刃に押し付けながら、鉛筆自体を回転させる必要があった従来の鉛筆削器に比べて、疲れを感じることなく、楽しく鉛筆を削ることができる。
また、鉛筆を固定した状態で、把手３を糸巻きの要領で回転させて削るので、短い鉛筆を容易に削ることができる。【００１５】
なお、本実施形態において、図４（ａ）に示すように、蓋部材２０’の内壁面の所定位置に、芯先保持部１１において保持された鉛筆の芯先を当接させることができる芯先当接部２５を設けてもよい。
この芯先当接部２５は、蓋部材２０’をケース本体部材１０に取り付けた際、芯先保持部１１に保持された状態で削られていく鉛筆が、所望の太さの芯先となった際に当接するように設計されている。【００１６】
この蓋部材２０’は、取り外し可能に構成されており、図４（ｂ）に示すように、鉛筆の芯先が当接されないよう、逆向きに蓋部材２０’（又は本体部材１０）を付けかえることで、芯先を尖らせた状態に削ることもできる。これによって、芯先調節機能を有する鉛筆削器が簡単な構成で実現される。
或いは、この芯先当接部２５のみ取り外し可能に構成してもよい。芯先を尖らせたい場合は、芯先当接部２５を取り外して使用する。【００１７】
或いは、図５に示すように、芯先当接部２５’に傾斜部を設け、所望の芯先太さの位置において当接されるように位置調節できるようにしてもよい。
位置調節の方法としては、上下反転させて取り付けてもよいし、例えば図５（ｂ）に示すように、レール２６を設け、芯先当接部２５’をスライドさせて位置調節してもよい。【００１８】
なお、本実施形態においてケースの形状は如何なるものであってもよく、例えば、円柱形状であってもよい（図６を参照）。
芯先の尖り具合を確認しながら鉛筆を削ることができるように、ケースは透明であってもよいし、鉛筆挿入穴２の設けられた一側面１２と、把手３が設けられた他側面（蓋部）以外のケース外壁面に所定の意匠を施してもよい。この場合、鉛筆挿入穴２とハンドル取付穴（筒部）の中間に位置する軸線Ｘを中心として回転させた際に、所定の色彩があらわれるように、その色彩とは異なる色で、ケースの夫々の側面を着色するのが好ましい。【００１９】
また、側面を複数の領域に区分し、その領域ごとに異なる色彩を着色することもできる。
色彩を付する場合、色彩学上の混色比率に応じて、各領域の面積、色の色相や明度等を設計するのが好ましく、例えば、対極に位置する色相の色彩（赤・青・黄色（緑）などの三原色）を着色してもよい。ケースを回転させた際に各領域の色彩が混ざり合い、思いもよらぬ色彩が表れるようにすることで、楽しく鉛筆を削ることができる。【００２０】
或いは、ケースの側面（鉛筆挿入穴２と把手３のいずれも設けられていない面）に、連続的な動きがあらわれるような図柄を施してもよい。このようにすれば、アニメーションを見ているかの如き感覚で、楽しみながら鉛筆を削ることができる。
また、九九の表や元素の周期律表などの学習事項を表示してもよいし、ノベルティグッズとして、広告宣伝のための表示を付してもよい。【００２１】
また、ハンドル部材３０は、着脱可能なものであってもよい。この場合、ハンドル取付部を弾性変形可能な部材で構成し、先端の抜け止め部３２がハンドル取付穴２３を通過することができるようにしてもよいし、図７に示す鉛筆削器１”のように、筆記具の締結具３４によって着脱できるようにしてもよい。このように、筆記具をもってハンドル部材３０’を構成することで、携帯すべき筆記具数を減らすことが可能となる。【００２２】
また、ハンドル取付穴としての筒部２３は、ケースの側に向かって延びる構成であってもよい。
即ち、図８に示すように、ケースの側（内側）に向かって延びる筒部２３’を設け、この筒部２３’に鉛筆などの棒状部材を差し込み、それをハンドル部材（ハンドル取付部３１’）として機能させてもよい。
この場合も、筒部２３’と、鉛筆挿入穴２に差し込まれる鉛筆の軸線（Ｌ）との位置関係は、前記所定距離（Ｍ）離れた位置において平行となるように設計される。【００２３】
また、図９に示す鉛筆削器１”のように、蓋部材２０”に、鉛筆挿入穴２を設けてもよい。即ち、鉛筆挿入穴２からケース内部に向けて縮径する芯先保持部１１”にスリットを設け、スリットに沿って切削刃１３”を取り付けて蓋部材２０”を構成する。
この例では、ケースの他側面が本体部１０”となり、その面に沿った延長部２２”にハンドル部材３０が取り付けられることなる。鉛筆挿入穴２には、穴を封止するためのカバー２ａが取り付けられている。
或いは、図１０に示す鉛筆削器のように、蓋部材２０”の本体部２１”に、鉛筆挿入穴２と芯先保持部１１”を設けてもよい。この場合、図１０（ｂ）に示すように、蓋部材２０”の本体部２１’は、本体部材１０”の開口部に取り付けられる。鉛筆を削る際には、本体部２１”に回動可能に取り付けられたカバー２ｂを開放させることで、鉛筆挿入穴２が現れるようになっている。
この場合、図１１に示すように、芯先保持部１１”に保持される鉛筆の芯先を当接させることができる芯先当接部２５を、他側面側のケース内に設けてもよい。【００２４】
図１２に示すように、蓋部材２０の本体部２１”と延長部２２”との間にヒンジ２６を設け、延長部２２”を折り曲げることで、ハンドル部材３０を収容できるようにしてもよい。
また、図１３に示すように、芯先保持部１１”の傾斜面に沿ってスリット１６を設け、そのスリット１６に沿って、傾斜状に刃先が延びる第１の切削刃１７ａを設けると共に、その先端部よりも鉛筆挿入穴２の側に寄った位置に、鉛筆に略直交する方向に延びる第２の切削刃１７ｂを設けた二枚刃構造としてもよい。
この鉛筆削器１”は、鉛筆の芯先を図１４に示す形状に切削するためのものとして提供される。即ち、色鉛筆や化粧用鉛筆など、柔らかい材質の芯材からなる鉛筆に適する鉛筆削器１”ものとして提供されるものである。【００２５】
このような鉛筆には、木材等で構成された本体部５の先端部を、リング部７とテーパ部８とからなる断面台形の切削形状とし、リング部７の開口部から芯先６’を露出させた切削形状が適する。即ち、本体部５の先端面を、芯材６の径Ｒに対応する内径を有し、鉛筆径Ｘよりも小さい外径Ｙを有するリンク形状の平坦面（即ち、リング部７）によって構成し、リング部７の外周から本体部５の周側面に向けて傾斜状に連続するテーパ部８を設けた形状である。【００２６】
鉛筆の本体部５を傾斜状に切削するための第１の切削刃１７ａは、芯先保持部１１のスリットに沿って傾斜状に配設される。その縮径方向先端部には芯先当接部２５が設けられており、第１の切削刃１７ａによる本体部５の切削が、芯材６が現れる前に停止されるように設計されている。
この芯先当接部２５から鉛筆挿入穴２の側に寄った位置に、差し込まれた鉛筆に対して略直交方向に刃先が延びる第２の切削刃１７ｂが設けられる。【００２７】
第２の切削刃１７ｂは、図１５に示すように、第１の切削刃１７ａによって傾斜状に削られた部分の先端部を切除して芯先６’を露出させるためのものであり、周縁から中心部に向けて、長手方向に略直交する方向に切り込まれるように設計されている。この場合、図１６に示すように、芯材６を取り囲む円弧状の刃先を有するものであってもよい。【００２８】
刃先の先端部１７ｂ’に向かうにつれて、芯材６に当接（或いは、限りなく近接）するように設計することで、芯先６’の露出と同時に、リング部７とテーパ部８を形成することが可能となる。
なお、第２の切削刃１７ｂは、第１の切削刃１７ａの回転方向先端部に連続して設けられていてもよい。例えば、図１７に示すように、第１の切削刃１７ａ’の先端を、芯材６に対して直交する方向に屈曲し、その屈曲部において第２の切削刃１７ｂ’を構成する。この場合、第１の切削刃１７ａ’による切削の後に、第２の切削刃１７ｂ’による切削が行われるように、第２の切削刃１７ｂ’は、第１の切削刃１７ａ’から回転先に向けて屈曲させ、先端部に向かうにつれて芯材６の周側面に略摺接されるように設計するのが好ましい（図１７（ｂ）を参照）。
【実施例２】
【００２９】
次に、第２実施形態に係る鉛筆削器１００の構成を、図１８を参照して説明する。なお、第１実施形態のものと同一構成の部材には、同一の符号を付することで、その説明を省略する。
本実施例に係る鉛筆削器１００は、図１９に示すように、ケースの一側面に設けられた鉛筆挿入穴２からケース内部に向けて鉛筆を差し込み、そのケースを回転させて削る鉛筆削器において、ハンドル取付穴を、ケースの他側面に設けた点を特徴とする。【００３０】
即ち、本実施形態の鉛筆削器１００は、ケース本体部材１０と、蓋部材１２０と、ハンドル部材３０と、によって構成されたものであるが、蓋部材１２０に延長部を設けず、本体部材１０の開口部のみを覆う構成とした点で、第１実施形態のものとは相違する。
ケースの他側面部としての蓋本体部１２１には、鉛筆の差込方向とは逆の方向からハンドル部材３０を回転可能に取り付けるための筒部１２３が設けられている。この筒部１２３は、鉛筆に対して所定距離（Ｍ）離れた位置において平行となっている。
蓋部材１２０の筒部１２３の内部（すなわち、ハンドル取付穴）には、ハンドル部材３０のハンドル取付部３１が遊びを持たせた状態で挿入されている。【００３１】
上記構成の鉛筆削器１００においても、第１実施形態に係る鉛筆削器と同様、ケースの一側面１２に設けられた鉛筆挿入穴２からケース内部に向けて鉛筆を差し込み、他方の手で把手３を握り、糸巻きの要領でケースを回転させることで、鉛筆を削ることができる。
本実施形態におけるハンドル部材３０は、蓋部材１２０の延長部に設けられたものではなく、小回りに回転させることが必要となるが、嵩が低いので、携帯には便利である。
本実施形態においても、ハンドル部材３０を取り外し可能な構造とすることで、筆箱などに収容する際の嵩を、更に低くすることができる。【００３２】
この場合もハンドル部材３０は筆記具であってもよいし、図２０に示すように、短い鉛筆の後端部に装着して使用される延長ホルダ１３５であってもよい。延長ホルダ１３５の内部は、鉛筆を保持するためのホルダ部１３６となっており、差し込まれた鉛筆を固定するための締結具１３７を抜け止め部として機能させている。締結具１３７を外した状態の延長ホルダ１３５をハンドル差込穴１３８に挿通させ、蓋部材１２０を開放した状態で、ホルダ部１３６の先端に締結具１３７を取り付ける。
なお、ハンドル部材を取り付けるための差込穴を、ケースの一側面部にまで貫通させれば、蓋部材を開放することなく、ハンドル部材を取り付けることもできる。
【実施例３】
【００３３】
次に、本発明の第３実施形態に係る鉛筆削器２００の構成を、図２１及び図２２を参照して説明する。なお、第１実施形態のものと同一構成の部材には、同一の符号を付することで、その説明を省略する。
本実施例に係る鉛筆削器２００は、ハンドル取付穴を、ケースの他側面からケース内部に向けて設けられた所定深さの差込穴２３８とした点、即ち、ケース本体部材１０と、蓋部材２２０のみによって構成した点において、第１及び第２実施形態のものと相違する。【００３４】
蓋部材２２０には、ハンドル差込穴２３８が設けられており、そこに、図２３に示すように、ハンドルに類する部材（例えば、筆記具など）を差し込む。そして、糸巻きの要領でケースを回転させることで、鉛筆を削ることができる。
ハンドル部材を設ける必要がないので、鉛筆削器の小型化が可能となる。
ケース本体部材１０と蓋部材２２０を、ヒンジ１５を介して一体成型したので、製造コストを限りなく低減させることができる。
【実施例４】
【００３５】
次に、本発明の第４実施形態に係る鉛筆削器３００の構成を、図２４を参照して説明する。
この鉛筆削器３００のケースは、一端部に鉛筆挿入穴２を備えた本体部材３１０と、ハンドル部材３３０とによって構成されている。本体部材３１０は、鉛筆挿入穴２からケース内部に向けて縮径する芯先保持部３１１に沿ってスリットを設け、そのスリットに沿って切削刃３１３を取り付けて構成される。【００３６】
即ち、本体部材３１０は、芯先保持部３１１の傾斜面に沿って屈曲している。屈曲角度（θ）は、鉛筆を切削刃３１３に押し付けながら回転させる際に、切削刃への押圧力を高めることができ、自然な姿勢で鉛筆を削ることができるような角度（好ましくは１１０度〜１７０度、より好ましくは１３０度〜１５０）に設定されている。なお、図２５に示す実施例では、屈曲角度（θ）を１４０度に設計することで、鉛筆を切削刃に押し付けた際の押圧力が高くなり、疲れを感じることなく鉛筆を削ることができた。【００３７】
本体部材３１０の内部は、ハンドル部材３３０の開口部へと連続している。
即ち、本体部材３１０の先端（即ち他側面）は開口されており、有底無蓋の筒状部材を成すハンドル部材３３０において封止されている。このハンドル部材３３０の外壁面において把手３が構成される。
使用の際には、一方の手で鉛筆を握り、鉛筆を他方の手で把手３を握り、鉛筆を回転させる。
ハンドル部材３３０に、本体部材３１０を封止する機能と、本体部材３１０のスリットを介して排出される切削屑の収容部としての機能を兼ね備えさせたので、コンパクトな形状とすることができる。【００３８】
特に、鉛筆の差込方向とは逆の方向からケースの他側面部に向けて押圧支持するハンドル３を、鉛筆に対して鈍角を成すように設けたので、ハンドルを握って鉛筆を回転させる際に、自然な姿勢を維持することができる。また、切削刃に対して鉛筆を無理なく押し付けることができるので、疲れを感じることなく、鉛筆を削ることができる。
【産業上の利用可能性】
【００３９】
本発明は、筆記具を削るための事務用品の産業分野に止まらず、アイペンシルを削るための鉛筆削器として化粧品分野、棒状の部材を削って楔などを製造するための鉛筆削器として建築分野など、あらゆる産業分野において、長尺物の先端を削るための装置に適用することができる。
【符号の説明】
【００４０】
１，１００，２００，３００・・・鉛筆削器
２・・・鉛筆挿入穴
３・・・把手
１０，３１０・・・本体部材
１１，３１１・・・芯先保持部
１２・・・一側面
１３，３１３・・・切削刃
１５・・・ヒンジ
１７ａ・・・第１の切削刃
１７ｂ・・・第２の切削刃
２０，１２０，２２０，３２０・・・蓋部材
２１，１２１・・・本体部
２２・・・延長部
２３，１２３・・・筒部
２５・・・芯先当接部
２６・・・レール
３０・・・ハンドル部材
３１・・・ハンドル取付部
３２・・・抜け止め部
３０，１３０，３３０・・・ハンドル部材
１３３・・・筆記具本体
１３４・・・キャップ
１３５・・・延長ホルダ
１３６・・・ホルダ部
１３７・・・締結具
１３８，２３８・・・差込穴
【図１】
2016143649.tif 000003
【図２】
2016143649.tif 000004
【図３】
2016143649.tif 000005
【図４】
2016143649.tif 000006
【図５】
2016143649.tif 000007
【図６】
2016143649.tif 000008
【図７】
2016143649.tif 000009
【図８】
2016143649.tif 000010
【図９】
2016143649.tif 000011
【図１０】
2016143649.tif 000012
【図１１】
2016143649.tif 000013
【図１２】
2016143649.tif 000014
【図１３】
2016143649.tif 000015
【図１４】
2016143649.tif 000016
【図１５】
2016143649.tif 000017
【図１６】
2016143649.tif 000018
【図１７】
2016143649.tif 000019
【図１８】
2016143649.tif 000020
【図１９】
2016143649.tif 000021
【図２０】
2016143649.tif 000022
【図２１】
2016143649.tif 000023
【図２２】
2016143649.tif 000024
【図２３】
2016143649.tif 000025
【図２４】
2016143649.tif 000026
【図２５】
2016143649.tif 000027
【国際調査報告】
2016143649.tif 000028
2016143649.tif 000029
2016143649.tif 000030
2016143649.tif 000031
2016143649.tif 000032
2016143649.tif 000033